(57)【要約】 【課題】  認証のための情報を登録するための処理の煩雑さを解消する。【解決手段】  処理装置は、通信デバイスから第１識別情報を受信する第１受信制御部と、操作部と、操作部が操作されて第２識別情報が入力される場合に、第２識別情報を取得する第１取得部と、第１識別情報と第２識別情報との登録が管理装置にて許可されるか否かを判断する第１判断部と、登録が許可される場合に、第１識別情報と第２識別情報とが対応付けられた登録情報を記憶部に登録する登録部と、登録情報の登録後に、第１識別情報が受信された場合に、第１識別情報に基づいて認証を実行するとともに、第２識別情報が取得された場合に、第２識別情報に基づいて認証を実行する認証部と、第１識別情報に基づく認証後と、第２識別情報に基づく認証後と、の双方で、登録情報に対応付けて管理される情報を用いて、特定の処理を実行する処理実行部と、を備える。【選択図】  図２
2015069563.tif 000002
【特許請求の範囲】
【請求項１】
通信デバイスから第１識別情報を受信する第１受信制御部と、
ユーザによって操作される操作部と、
ユーザによって前記操作部が操作されて、第２識別情報が入力される場合に、前記第２識別情報を取得する第１取得部と、
前記第１識別情報と前記第２識別情報との登録が管理装置にて許可されるか否かを判断する第１判断部と、
前記登録が許可される場合に、前記第１識別情報と前記第２識別情報とが対応付けられた登録情報を記憶部に登録する登録部と、
前記登録情報の登録後に、前記第１受信制御部によって前記第１識別情報が受信された場合に、前記第１識別情報に基づいて認証を実行するとともに、前記登録情報の登録後に、前記第１取得部によって前記第２識別情報が取得された場合に、前記第２識別情報に基づいて認証を実行する認証部と、
前記第１識別情報に基づく認証が実行された後と、前記第２識別情報に基づく認証が実行された後と、の双方で、前記登録情報に対応付けて管理される情報を用いて、特定の処理を実行する処理実行部と、
を備える、処理装置。
【請求項２】
請求項１に記載の処理装置であって、さらに、
前記第１識別情報と前記第２識別情報との登録を許可する許可通知を前記管理装置から受信する第２受信制御部を備え、
前記第１判断部は、前記許可通知を受信することに応じて、前記第１識別情報と前記第２識別情報との登録が許可されると判断する、処理装置。
【請求項３】
請求項１に記載の処理装置であって、さらに、
前記処理装置の利用の許容範囲を示す許容情報を受信する第３受信制御部と、
前記処理装置の利用の要求を示す要求情報を受け付ける受付部と、
を備え、
前記第１判断部は、前記要求情報によって示される前記利用の要求が、前記許容情報によって示される前記許容範囲内である場合には、前記第１識別情報と前記第２識別情報との登録が許可されると判断し、
前記登録部は、前記第１識別情報と前記第２識別情報との登録が許可される場合には、前記第１識別情報と前記第２識別情報と前記要求情報とが対応付けられた前記登録情報を記憶部に登録する、処理装置。
【請求項４】
請求項３に記載の処理装置であって、
前記第１判断部は、前記要求情報によって示される前記利用の要求が、前記許容情報によって示される前記許容範囲外である場合には、前記第１識別情報と前記第２識別情報との登録が許可されないと判断し、
前記処理装置は、さらに、
前記第１判断部が、前記第１識別情報と前記第２識別情報との登録が許可されないと判断する場合に、前記第１識別情報と前記第２識別情報との登録を許可する許可通知を要求する許可要求を前記管理装置に送信する送信部と、
前記許可通知を前記管理装置から受信する第２受信制御部と、を備え、
前記第１判断部は、前記許可通知を受信することに応じて、前記第１識別情報と前記第２識別情報との登録が許可されると判断する、処理装置。
【請求項５】
請求項１ないし請求項４のいずれかに記載の処理装置であって、さらに、
前記第１受信制御部によって受信される前記第１識別情報が登録済みであるか否かを判断する第２判断部を備え、
受信される前記第１識別情報が登録済みである場合には、前記認証部が、前記第１識別情報に基づいて認証を実行し、
受信される前記第１識別情報が未登録である場合には、前記第１判断部が、前記第１識別情報と前記第２識別情報との登録が許可されるか否かを判断する、処理装置。
【請求項６】
請求項１ないし請求項５のいずれかに記載の処理装置であって、
前記第１受信制御部は、ＮＦＣ（Near Field Communicationの略）通信を用いて、前記第１識別情報を受信する、処理装置。
【請求項７】
請求項１ないし請求項６のいずれかに記載の処理装置であって、さらに、
前記第１取得部によって取得される前記第２識別情報が登録済みであるか否かを判断する第３判断部と、
取得される前記第２識別情報が登録済みである場合には、前記第２識別情報が登録済みであることを表示部に表示する表示制御部と、
を含む、処理装置。
【請求項８】
通信デバイスから第１識別情報を受信する第１受信制御機能と、
ユーザによってコンピュータのための操作部が操作されて、第２識別情報を取得する第１取得機能と、
前記第１識別情報と前記第２識別情報との登録が管理装置にて許可されるか否かを判断する第１判断機能と、
前記登録が許可される場合に、前記第１識別情報と前記第２識別情報とが対応付けられた登録情報を記憶部に登録する登録機能と、
前記登録情報の登録後に、前記第１受信制御機能によって前記第１識別情報が受信された場合に、前記第１識別情報に基づいて認証を実行するとともに、前記登録情報の登録後に、前記第１取得機能によって前記第２識別情報が取得された場合に、前記第２識別情報に基づいて認証を実行する認証機能と、
前記第１識別情報に基づく認証が実行された後と、前記第２識別情報に基づく認証が実行された後と、の双方で、前記登録情報に対応付けて管理される情報を用いて、特定の処理を実行する処理実行機能と、
を前記コンピュータに実現させる、コンピュータプログラム。
【発明の詳細な説明】
【技術分野】
【０００１】
本発明は、認証のための識別情報を登録する技術に関する。
【背景技術】
【０００２】
プリンタや複合機などの処理装置では、ユーザごとに認証を行う場合がある。認証を行うことによって、例えば、処理装置は、ユーザごとに、利用可能な機能の制限などを行うことができる（例えば、特許文献１）。
【０００３】
例えば、上記文献は、ユーザ情報が登録済みのユーザのＩＣカードの情報を、当該ユーザの認証のために登録する技術を開示している。具体的には、登録済みのユーザからユーザ名とパスワードが取得されて、ユーザの認証が実行される。そして、ユーザの認証が成功した後に、ユーザのＩＣカードの情報が取得される。そして、ユーザのＩＣカードの情報が、登録済みのユーザ情報に対応して登録される。
【先行技術文献】
【特許文献】
【０００４】
【特許文献１】特開２０１０−１０８３４８号公報
【発明の概要】
【発明が解決しようとする課題】
【０００５】
しかしながら、上記技術では、認証のための情報を登録するための処理が煩雑になる可能性があった。
【０００６】
本発明は、認証のための情報を登録するための処理の煩雑さを解消できる技術を提供することを目的とする。
【課題を解決するための手段】
【０００７】
本発明は、上述の課題の少なくとも一部を解決するためになされたものであり、以下の適用例として実現することが可能である。
【０００８】
［適用例１］通信デバイスから第１識別情報を受信する第１受信制御部と、
ユーザによって操作される操作部と、
ユーザによって前記操作部が操作されて、第２識別情報が入力される場合に、前記第２識別情報を取得する第１取得部と、
前記第１識別情報と前記第２識別情報との登録が管理装置にて許可されるか否かを判断する第１判断部と、
前記登録が許可される場合に、前記第１識別情報と前記第２識別情報とが対応付けられた登録情報を記憶部に登録する登録部と、
前記登録情報の登録後に、前記第１受信制御部によって前記第１識別情報が受信された場合に、前記第１識別情報に基づいて認証を実行するとともに、前記登録情報の登録後に、前記第１取得部によって前記第２識別情報が取得された場合に、前記第２識別情報に基づいて認証を実行する認証部と、
前記第１識別情報に基づく認証が実行された後と、前記第２識別情報に基づく認証が実行された後と、の双方で、前記登録情報に対応付けて管理される情報を用いて、特定の処理を実行する処理実行部と、
を備える、処理装置。
【０００９】
上記構成によれば、通信デバイスから受信される第１識別情報と、ユーザの操作によって入力された第２識別情報と、が対応付けられた登録情報が登録される。そして、登録後には、双方の識別情報を用いて認証をそれぞれ実行することができる。この結果、認証のための情報を登録するための処理の煩雑さを解消することができる。
【００１０】
なお、本発明は、種々の形態で実現することが可能であり、例えば、画像処理装置、画像処理装置を管理する管理装置、これらの装置の機能を実現するための方法、コンピュータプログラム、そのコンピュータプログラムを記録した記録媒体、等の形態で実現することができる。
【図面の簡単な説明】
【００１１】
【図１】実施例におけるシステム１０００の構成を示すブロック図。
【図２】ユーザ情報テーブル２３２と許容情報テーブル２３３との一例を示す図。
【図３】許容情報テーブル２３３の設定処理のフローチャート。
【図４】許容情報を入力するためのＷＥＢページＷＰ１の一例を示す図。
【図５】第１の認証関連処理のフローチャート。
【図６】ログイン画像ＵＩ１の一例を示す図。
【図７】情報入力画像ＵＩ２の一例を示す図。
【図８】図２に示すユーザ情報テーブル２３２に新規のユーザ情報２３２Ｃが登録された後のユーザ情報テーブル２３２を示す図。
【図９】第２の認証関連処理のフローチャート。
【図１０】許可通知または不許可通知の送信指示を入力するためのＷＥＢページＷＰ２の一例を示す図。
【００１２】
Ａ．第１実施例
Ａ−１．システムの構成
次に、本発明の実施の形態を実施例に基づき説明する。図１は、実施例における処理装置としての複合機２００を含むシステム１０００の構成を示すブロック図である。このシステム１０００は、複合機２００と、管理装置３００と、通信デバイスとしてのＩＣカード５００および携帯端末４００と、を備えている。複合機２００と、管理装置３００とは、ローカルエリアネットワーク（ＬＡＮ）５０に接続されており、ＬＡＮ５０を介して互いに通信可能である。ＬＡＮ５０は、例えば、ＩＥＥＥ（The Institute of Electrical and Electronics Engineers, Inc.の略）８０２．３の規格に準拠して構築されている。
【００１３】
複合機２００は、ＣＰＵ２１０と、ＲＡＭなどの揮発性記憶装置２２０と、ハードディスクドライブやフラッシュメモリなどの不揮発性記憶装置２３０と、プリンタ部２４０と、スキャナ部２５０と、タッチパネルやボタンなどの操作部２６０と、タッチパネルと重畳された液晶などの表示パネルを含む表示部２７０と、ＬＡＮＩ／Ｆ２８０と、ＮＦＣＩ／Ｆ２９０と、を備えている。プリンタ部２４０は、所定の方式（例えば、インクジェット、レーザー）で画像を印刷する。スキャナ部２５０は、光学センサ（例えば、例えば、ＣＩＳ（Contact Image Sensorの略））を用いて、原稿を光学的に読み取る。
【００１４】
ＬＡＮＩ／Ｆ２８０は、上述したＬＡＮ５０と接続するための有線または無線のインタフェースである。ＮＦＣＩ／Ｆ２９０は、ＮＦＣ（Near Field Communicationの略）方式に従った無線通信を実行するインタフェースである。ＮＦＣ方式は、１０センチメートル程度の極近距離での無線通信（いわゆる近距離無線通信）のための通信方式であり、例えば、ＩＳＯ／ＩＥＣ２１４８１やＩＳＯ／ＩＥＣ１８０９２などの規格に準拠した通信方式である。ＣＰＵ２１０は、ＮＦＣＩ／Ｆ２９０を制御して、ＩＣカード５００や携帯端末４００から情報を受信する機能（いわゆるＮＦＣリーダ機能）を実現することができる。
【００１５】
揮発性記憶装置２２０には、ＣＰＵ２１０が処理を行う際に生成される種々の中間データを一時的に格納するバッファ領域２２１が設けられている。不揮発性記憶装置２３０には、複合機２００を制御するための制御プログラム２３１と、ユーザ情報テーブル２３２と、許容情報テーブル２３３と、ＷＥＢページデータ群２３４と、ＵＩ画像データ群２３５と、が格納されている。ＷＥＢページデータ群２３４は、管理者向けのＷＥＢページ、具体的には、後述するＷＥＢページＷＰ１（図４）、ＷＰ２（図１０）などをそれぞれ示す複数個のＷＥＢページデータを含んでいる。ＵＩ画像データ群２３５は、表示部２７０に表示されるＵＩ画像、具体的には、後述するログイン画像ＵＩ１（図６）、情報入力画像ＵＩ２（図７）などをそれぞれ示す複数個のＵＩ画像データを含んでいる。
【００１６】
制御プログラム２３１は、例えば、複合機２００の出荷時に予め不揮発性記憶装置２３０に格納されている。また、制御プログラム２３１は、例えば、サーバからダウンロードする形態で提供され得る。
【００１７】
ＣＰＵ２１０は、制御プログラム２３１を実行することにより、複合機２００を制御する制御機能を実現する。具体的には、ＣＰＵ２１０は、例えば、プリンタ部２４０やスキャナ部２５０を制御して特定の処理を実行する機能を含む。特定の処理は、具体的には、プリント機能、スキャン機能、および、プリント機能とスキャン機能とを組合わせて実現されるコピー機能、などの画像処理機能を実現するための処理を含む。また、ＣＰＵ２１０は、制御プログラム２３１を実行することにより、後述するユーザの認証に用いられる識別情報を登録する処理や、登録された識別情報を用いてユーザの認証を行う処理を実行する。また、ＣＰＵ２１０は、制御プログラム２３１を実行することにより、ＷＥＢページデータ群２３４を用いて、管理者向けのＷＥＢページを提供するＷＥＢサーバとして機能する。ＣＰＵ２１０は、制御プログラム２３１を実行することにより、電子メールを送受信するメールクライアントとして機能する。
【００１８】
管理装置３００は、図示しないＣＰＵとメモリとを備える公知の計算機、例えば、いわゆるパーソナルコンピュータである。管理装置３００には、ブラウザプログラムと、メールクライアントプログラムと、がインストールされている。管理装置３００のＣＰＵは、これらのプルグラムを実行することにより、ＷＥＢページを閲覧するブラウザと、電子メールを送受信するメールクライアントとして、機能する。
【００１９】
ＩＣカード５００は、例えば、メモリを含むＩＣチップとアンテナコイル（図示省略）とを備える、いわゆる非接触型のＩＣカードである。ＩＣカード５００は、上述したＮＦＣリーダ機能を備える機器（例えば、複合機２００）に対して、メモリに格納されたデータを送信することができる。ＩＣカード５００のメモリに格納されたデータは、カードを識別するカード識別情報を含んでいる。ＩＣカード５００には、例えば、交通機関の料金や商品の代金の決済に用いられるＩＣカードや、会員証や従業員証などに利用されるＩＣカードなどが用いられる。使用できるＩＣカードの種類は、例えば、複合機２００のベンダーによって、複合機２００のユーザに予め提示されている。ユーザは、例えば、自身が所有するＩＣカードのうち、ベンダーによって提示された種類のＩＣカードを、システム１０００のためのＩＣカード５００として利用することができる。
【００２０】
携帯端末４００は、ユーザが所有する端末であり、例えば、スマートフォンと呼ばれる多機能携帯電話である。携帯端末４００は、ＮＦＣ方式に従った無線通信機能（図示省略）を備えており、カードエミュレーションモードで動作することによって、ＩＣカード５００と同等のデータ送信機能を実現することができる。携帯端末４００は、例えば、複合機２００のベンダーによって提供されるプログラム（アプリとも呼ばれる）を実行することによって、携帯端末４００ごとに異なる端末識別情報を生成して、携帯端末４００内のメモリに格納する。携帯端末４００は、上述したＮＦＣリーダ機能を備える機器（例えば、複合機２００）に対して、端末識別情報を送信することができる。
【００２１】
ＩＣカード５００のメモリに格納されたカード識別情報や、携帯端末４００に格納された端末識別情報を、デバイスＩＤとも呼ぶ。ＩＣカード５００と携帯端末４００との少なくとも一方がユーザによって利用されれば良い。
【００２２】
図２は、複合機２００のユーザ情報テーブル２３２と許容情報テーブル２３３との一例を示す図である。図２（Ａ）のユーザ情報テーブル２３２は、ユーザごとに管理されるユーザー情報が登録されるテーブルである。例えば、図２（Ａ）には、２人のユーザのユーザ情報２３２Ａ、２３２Ｂが登録されている。ユーザ情報２３２Ａ、２３２Ｂのそれぞれは、第１識別情報としてのデバイスＩＤと、第２識別情報としてのユーザＩＤと、パスワードと、利用情報と、を含んでいる。換言すれば、これらのデバイスＩＤと、ユーザＩＤと、パスワードと、利用情報とは、一組のユーザ情報として、互いに対応付けられている。
【００２３】
利用情報は、ユーザ情報に含まれるデバイスＩＤやユーザＩＤによって識別されるユーザに対して許可された複合機２００の利用範囲を規定する情報である。利用情報は、例えば、複合機２００が実行可能な特定の機能の利用の可否を示す可否情報ＦＩを含む。可否情報ＦＩは、例えば、コピー機能の利用が許可されているか否かを示す情報ＦＩ１と、スキャン機能の利用が許可されているか否かを示す情報ＦＩ２と、を含む（図２（Ａ））。利用情報は、さらに、特定の機能の利用が許可されている場合には、当該特定の機能について許可されている利用量を示す利用量情報ＶＩを含む。図２（Ａ）の例では、コピー機能の利用量情報ＶＩ１は、１週間当たりに、コピーできる用紙の枚数を示す情報である。また、スキャン機能の利用量情報ＶＩ２は、例えば、１週間当たりに、スキャンできる回数である。このように、特定の機能の利用量情報ＶＩは、特定の期間当たりに、特定の機能を利用できる回数や、特定の機能によって生成できる媒体（例えば、印刷された用紙）やデータ（例えば、スキャンデータ）の個数を示す情報が用いられ得る。
【００２４】
図２（Ｂ）の許容情報テーブル２３３には、後述する第１の認証関連処理において、複合機２００の利用の要求がユーザから受け付けられた場合に、許容できる複合機２００の利用範囲（以下、許容範囲とも呼ぶ）を示す許容情報が設定されている。図２（Ｂ）に示すように、許容情報は、上述したユーザ情報テーブル２３２の利用情報と同種の情報を含み、許容範囲を規定する。具体的には、図２（Ｂ）の例では、許容情報は、コピー機能とスキャン機能のそれぞれについて利用が許容されるか否かを示す可否情報ＦＩ３、ＦＩ４を含む。また、許容情報は、コピー機能とスキャン機能のそれぞれについて、許容できる利用量の上限値（以下、利用量上限値とも呼ぶ）を示す利用量情報ＶＩ３、ＶＩ４を含む。
【００２５】
Ａ−２．システムの動作
Ａ−２−１．許容情報の設定
図３は、許容情報テーブル２３３（図２（Ｂ））の設定処理のフローチャートである。許容情報テーブル２３３の設定処理は、複合機２００の許容情報テーブル２３３に、上述した許容情報を設定する処理であり、後述する第１の認証関連処理（図５）に先立って、実行される。
【００２６】
ステップＳ１０では、管理装置３００は、システム１０００の管理者の操作に基づいて、許容情報テーブル２３３に設定すべき許容情報を複合機２００に対して送信する。具体的には、管理者の操作に基づいて、管理装置３００は、ブラウザプログラムを実行し、ブラウザ機能を用いて、予め定められたＵＲＬ（Uniform Resource Locatorの略）によって識別されるＷＥＢページにアクセスする。この結果、複合機２００のＣＰＵ２１０から、許容情報を入力するためのＷＥＢページＷＰ１を示す所定のＷＥＢページデータが、管理装置３００に送信される。この結果、管理装置３００の表示部には、ＷＥＢページＷＰ１が表示される。
【００２７】
図４は、許容情報を入力するためのＷＥＢページＷＰ１の一例を示す図である。図４のＷＥＢページＷＰ１は、ラジオボタンＲＢ１〜ＲＢ４と、フィールドＦ１、Ｆ２と、送信ボタンＢＴ１と、送信を取り消す取消ボタンＢＴ２と、を含んでいる。ラジオボタンＲＢ１〜ＲＢ４は、コピー機能とスキャン機能のそれぞれについて、利用を許容するか否かの選択を受け付ける。フィールドＦ１、Ｆ２は、コピー機能とスキャン機能のそれぞれについて、利用量上限値の入力を受け付ける。管理装置３００は、送信ボタンＢＴ１が押下されると、押下された時点におけるラジオボタンＲＢ１〜ＲＢ４の選択状態を示す情報と、フィールドＦ１、Ｆ２に入力された情報とを、許容情報として複合機２００に送信する。
【００２８】
ステップＳ１５では、複合機２００のＣＰＵ２１０は、許容情報テーブル２３３（図２（Ｂ））に、管理装置３００から受信された許容情報を設定する。
【００２９】
Ａ−２−２．認証関連処理
図５は、第１の認証関連処理のフローチャートである。第１の認証関連処理は、例えば、許容情報テーブル２３３が設定されている場合であって、かつ、複合機２００がユーザによってログインされた状態にない場合に、複合機２００のＣＰＵ２１０によって実行される。第１の認証関連処理は、デバイスＩＤやユーザＩＤなどのユーザ情報をユーザ情報テーブル２３２に登録する処理や、登録済みのデバイスＩＤまたはユーザＩＤを用いて認証を実行する処理を含む。
【００３０】
ステップＳ２０では、ＣＰＵ２１０は、表示部２７０に、ＵＩ画像としてログイン画像を表示する。図６は、ログイン画像ＵＩ１の一例を示す図である。図６のログイン画像ＵＩ１は、メッセージＭＳ１、ＭＳ２と、ユーザＩＤの入力を受け付けるフィールドＦ３と、パスワードの入力を受け付けるためのフィールドＦ４と、ログインボタンＢＴ３と、を含んでいる。メッセージＭＳ１は、ＩＣカード５００をＮＦＣＩ／Ｆ２９０にかざすことで、ログインが可能であることをユーザに示す。メッセージＭＳ２は、フィールドＦ３、Ｆ４にユーザＩＤと、パスワードと、を入力することによって、ログインが可能であることをユーザに示す。ＣＰＵ２１０は、ユーザによって操作部２６０が操作されて、ログイン画像ＵＩ１のフィールドＦ１、Ｆ２に、ユーザＩＤとパスワードが入力された後に、ログインボタンＢＴ３が押下された場合に、ユーザＩＤとパスワードを取得する。
【００３１】
ステップＳ２５では、ＣＰＵ２１０は、通信デバイス（具体的には携帯端末４００またはＩＣカード５００）から、デバイスＩＤ（具体的にはカード識別情報または端末識別情報）を受信したか否かを判断する。具体的には、ＣＰＵ２１０は、ＮＦＣＩ／Ｆ２９０を制御して、通信デバイスを検出するための検出信号を定期的に発信する、いわゆるポーリングを実行する。この状態で、通信デバイスがＮＦＣＩ／Ｆ２９０にかざされることによって、ＮＦＣＩ／Ｆ２９０対して所定の距離（例えば、１０センチメートル）まで近づくと、通信デバイスは、検出信号を受信し、検出信号に対する応答信号をＮＦＣＩ／Ｆ２９０に送信する。この応答信号の送信を契機に、ＮＦＣＩ／Ｆ２９０と通信デバイスとの間でＮＦＣ通信の接続が確立され、ＮＦＣ通信を用いて、通信デバイスからＮＦＣＩ／Ｆ２９０にデバイスＩＤが送信される。すなわち、ユーザが通信デバイスをＮＦＣＩ／Ｆ２９０にかざした場合に、ＣＰＵ２１０は、ＮＦＣＩ／Ｆ２９０を介して、通信デバイスからデバイスＩＤを受信する。
【００３２】
このように、ＮＦＣ通信を用いることにより、デバイスＩＤを容易かつ安全に受信することができる。すなわち、ユーザが通信デバイスをＮＦＣＩ／Ｆ２９０にかざすだけで、ＣＰＵ２１０は容易にデバイスＩＤを受信できる。また、ＮＦＣ通信の通信距離は、例えば、ＩＥＥＥ８０２．１１の規格に従った無線通信（いわゆるＷｉ−ｆｉ通信）と比較して、極めて短いので、通信を第三者に傍受される可能性が低い。したがって、ＣＰＵ２１０は、デバイスＩＤを安全に受信できる。
【００３３】
デバイスＩＤが受信された場合には（ステップＳ２５：ＹＥＳ）、ＣＰＵ２１０は、受信されたデバイスＩＤを含むユーザ情報が、ユーザ情報テーブル２３２に登録済みであるか否かを判断する（ステップＳ３０）。本実施例では、デバイスＩＤは、対応するユーザＩＤやパスワードなどの他のユーザ情報と同時に登録されるので、デバイスＩＤが登録済みでない場合には、他のユーザ情報も登録済みではない。受信されたデバイスＩＤを含むユーザ情報が登録済みでない場合には（ステップＳ３０：ＮＯ）、ＣＰＵ２１０は、受信されたデバイスＩＤを含むユーザ情報を登録するための一連の処理を実行する（ステップＳ３５〜Ｓ７０）。
【００３４】
ステップＳ３５では、ＣＰＵ２１０は、ユーザ情報の登録に必要な情報をユーザから取得する。ユーザ情報の登録に必要な情報は、デバイスＩＤとともに、ユーザ情報テーブル２３２に登録すべきユーザＩＤおよびパスワードと、利用要求情報と、メールアドレスと、を含む。具体的には、ＣＰＵ２１０は、情報入力画像ＵＩ２を表示して、これらの情報の入力をユーザから受け付ける。
【００３５】
図７は、情報入力画像ＵＩ２の一例を示す図である。図７の情報入力画像ＵＩ２は、ユーザＩＤ、パスワード、メールアドレスの入力を受け付けるためのフィールドＦ５、Ｆ６、Ｆ７と、利用要求情報を受け付けるためのラジオボタンＲＢ５〜ＲＢ８およびフィールドＦ７、Ｆ８と、登録申請ボタンＢＴ４と、を含む。情報入力画像ＵＩ２から解るように、利用要求情報は、上述した利用情報（図２（Ａ））や、許容情報（図２（Ｂ））と同種の情報を含み、複合機２００の利用を要求する要求範囲を示す。具体的には、利用要求情報は、コピー機能とスキャン機能のそれぞれについて利用を要求するか否かを示す可否情報を含む。また、利用要求情報は、利用を要求する機能のそれぞれについて、要求する利用量を示す利用量情報を含む。コピー機能とスキャン機能についての可否情報は、ラジオボタンＲＢ５〜ＲＢ８を介して、コピー機能とスキャン機能についての可否情報は、フィールドＦ８、Ｆ９を介して、それぞれ受け付けられる。
【００３６】
ＣＰＵ２１０は、ユーザによって操作部２６０が操作されて、情報入力画像ＵＩ２のフィールドＦ５〜Ｆ９に、情報が入力された後に、登録申請ボタンＢＴ４が押下された場合に、フィールドＦ５〜Ｆ９に入力された情報を取得する。また、ＣＰＵ２１０は、登録申請ボタンＢＴ４が押下された時点におけるラジオボタンＲＢ５〜ＲＢ８の選択状態を示す情報を、取得する。この結果、ＣＰＵ２１０は、上述したユーザ情報の登録に必要な情報を取得することができる。
【００３７】
続くステップＳ４０では、ＣＰＵ２１０は、ステップＳ３５にて取得されたユーザＩＤが、ユーザ情報テーブル２３２に登録済みのユーザＩＤと重複するか否かを判断する。取得されたユーザＩＤが、ユーザ情報テーブル２３２に登録済みのユーザＩＤと重複する場合には（ステップＳ４０：ＹＥＳ）、ＣＰＵ２１０は、ユーザＩＤの重複を表示部２７０に表示する（ステップＳ４５）。換言すれば、ＣＰＵ２１０は、未登録であるべきステップＳ３５にて取得されたユーザＩＤが、ユーザ情報テーブル２３２に登録済みである場合には、ステップＳ３５にて取得されたユーザＩＤがユーザ情報テーブル２３２に登録済みであることを示すエラー情報を表示部に表示する。この結果、ユーザＩＤが重複してユーザ情報テーブル２３２に登録されることを抑制することができる。エラー情報の表示後に、ＣＰＵ２１０は、ステップＳ３５に戻って、情報入力画像ＵＩ２を再び表示部２７０に表示して、ユーザから、別のユーザＩＤを取得する。
【００３８】
取得されたユーザＩＤが、ユーザ情報テーブル２３２に登録済みのユーザＩＤと重複しない場合には（ステップＳ４０：ＮＯ）、ＣＰＵ２１０は、ステップＳ３５にて取得された利用要求情報によって示される利用の要求の範囲が、許容情報テーブル２３３に設定された許容情報によって示される許容範囲内であるか否かを判断する（ステップＳ５０）。具体的には、利用要求情報によってプリント機能の利用が要求されている場合には、許容情報によってプリント機能の利用が許容されており、かつ、利用要求情報によって要求されている利用量が、許容情報によって規定される利用量上限値以下である場合に限って、プリント機能について許容範囲内であると判断される。利用要求情報によってプリント機能の利用が要求されていない場合には、常に、プリント機能について許容範囲内であると判断される。スキャン機能についても同様である。そして、プリント機能とスキャン機能との双方について、許容範囲内であると判断される場合に、最終的に、利用の要求の範囲は、許容範囲内であると判断される。プリント機能とスキャン機能とのうち、少なくとも一方が許容範囲外であると判断される場合には、最終的に、利用の要求の範囲は、許容範囲外であると判断される。
【００３９】
利用の要求の範囲が、許容範囲内である場合には（ステップＳ５０：ＹＥＳ）、ＣＰＵ２１０は、新規のユーザ情報をユーザ情報テーブル２３２に登録する（ステップＳ５５）。すなわち、ステップＳ２５にて取得された未登録のデバイスＩＤと、ステップＳ３５にて取得された未登録のユーザＩＤおよびパスワードと、が対応付けられて、ユーザ情報テーブル２３２に新たに登録される。さらに、ステップＳ３５にて取得された利用要求情報が、利用が許可された利用情報として、新たに登録されるデバイスＩＤおよびユーザＩＤと対応付けて、ユーザ情報テーブル２３２に登録される。
【００４０】
このように、ユーザ情報テーブル２３２に設定された許容情報を用いて、デバイスＩＤとユーザＩＤとの登録が管理装置３００にて許可されるか否かを、管理装置３００に問い合わせることなく、適切かつ速やかに判断することができる。したがって、ユーザは、直ちに、後述するデバイスＩＤやユーザＩＤを用いたログインを行い、複合機２００の機能を利用できるので便利である。また、管理者は、登録申請を許可するか否かをユーザごとに逐一判断する手間を省くことができるので、管理者の負担を軽減することができる。さらに、ユーザ情報テーブル２３２には、通信デバイスから取得されてデバイスＩＤと、ユーザによって入力されたデバイスＩＤ、パスワード、利用要求情報が、そのまま許可された利用情報として登録される。すなわち、ユーザが主体となって、ユーザ情報の登録が実行されるので、管理者の負担をさらに軽減することができる。
【００４１】
図８は、図２に示すユーザ情報テーブル２３２に、新規のユーザ情報２３２Ｃが登録された後のユーザ情報テーブル２３２を示す図である。図８の例では、新規のユーザ情報２３２Ｃは、デバイスＩＤとユーザＩＤとパスワードとして、「ＤＩＤ＿Ｃ」と「ＵＩＤ＿Ｃ」と「ＰＷＤ＿Ｃ」とを含んでいる。また、ユーザ情報２３２Ｃは、利用情報として、コピー機能およびスキャン機能の利用が許可されることをそれぞれ示す可否情報ＦＩ１、ＦＩ２を含んでいる。また、ユーザ情報２３２Ｃは、利用情報として、許可されるコピー機能の利用量が１週間当たり１５枚であることを示す利用量情報ＶＩ１と、許可されるスキャン機能の利用量が１週間当たり１５回であることを示す利用量情報ＶＩ２と、を含んでいる。
【００４２】
ユーザ情報が新規に登録されると、続くステップＳ６０では、ＣＰＵ２１０は、ユーザ情報の登録が成功したことを示すメッセージを、表示部２７０に表示して、第１の認証関連処理を終了する。
【００４３】
ステップＳ５０に戻って説明を続ける。利用の要求の範囲が、許容範囲外である場合には（ステップＳ５０：ＮＯ）、ＣＰＵ２１０は、許可要求を管理装置３００に対して送信する（ステップＳ６５）。具体的には、ＣＰＵ２１０は、ユーザからの登録申請に対する許可通知を要求する許可要求を、管理装置３００に対して送信する。換言すれば、許可通知は、デバイスＩＤとユーザＩＤとの登録を許可する通知とも言うことができる。具体的には、ＣＰＵ２１０は、予め登録された管理者のメールアドレス宛に、許可要求としての電子メールを送信する。許可要求としての電子メールには、例えば、特定のＵＲＬと、ユーザによって登録申請が行われたことを示すメッセージと、が記述される。
【００４４】
続くステップＳ７０では、ＣＰＵ２１０は、管理装置３００に送信した許可要求に対する回答を待っている状態であることを、ユーザに通知するメッセージを、表示部２７０に表示して、第１の認証関連処理を終了する。
【００４５】
ステップＳ２５に戻って説明を続ける。デバイスＩＤが受信されない場合には（ステップＳ２５：ＮＯ）、ＣＰＵ２１０は、ユーザＩＤとパスワードが、図６のログイン画像ＵＩ１を介して取得されたか否かを判断する（ステップＳ７５）。本ステップは、登録済みのユーザＩＤとパスワードとを、ログインの認証のために取得することを目的とするステップである。ユーザＩＤとパスワードが取得されない場合には（ステップＳ７５：ＮＯ）、ＣＰＵ２１０は、ステップＳ２０に戻る。すなわち、この場合には、ログイン画像ＵＩ１の表示が維持される。
【００４６】
ステップＳ７５にてユーザＩＤとパスワードとが取得された場合（ステップＳ７５：ＹＥＳ）、および、ステップＳ２５にて取得されたデバイスＩＤがユーザ情報テーブル２３２に登録済みである場合には（ステップＳ３０：ＹＥＳ）、ＣＰＵ２１０は、ユーザの認証を実行する（ステップＳ８０）。具体的には、ユーザＩＤとパスワードとが取得された場合には、取得されたユーザＩＤに基づく認証が実行され、登録済みのデバイスＩＤが取得された場合には、デバイスＩＤに基づく認証が実行される（ステップＳ８０）。
【００４７】
本実施例では、デバイスＩＤに基づく認証は、パスワードなどの追加情報を要求しない認証である。このために、本実施例では、ＣＰＵ２１０は、登録済みのデバイスＩＤに基づく認証は、無条件で成功であると判断する。ユーザＩＤに基づく認証は、パスワードの入力を要求する認証である。このために、ＣＰＵ２１０は、取得されたユーザＩＤとパスワードとが、１個のユーザ情報に含まれる情報として、すなわち、互いに対応付けられたユーザＩＤとパスワードとして、ユーザ情報テーブル２３２に登録されているか否かを判断する。取得されたユーザＩＤとパスワードとがユーザ情報テーブル２３２に登録されている場合には、認証は成功であると判断され、登録されていない場合には、認証は失敗であると判断される。
【００４８】
ステップＳ８０での認証が失敗である場合には（ステップＳ８５：ＮＯ）、ＣＰＵ２１０は、認証が失敗であることを表示部２７０に表示して（ステップＳ９０）、関連処理を終了する。ステップＳ８０での認証が成功である場合には（ステップＳ８５：ＹＥＳ）、ＣＰＵ２１０は、複合機２００の動作状態を、ログイン状態に移行させて（ステップＳ９５）、第１の認証関連処理を終了する。本実施例では、ログイン状態では、ＣＰＵ２１０は、デバイスＩＤとユーザＩＤとに対応付けられた利用情報（図２）を用いて、コピー機能やスキャン機能を実現する処理を実行する。具体的には、ＣＰＵ２１０は、当該利用情報によって示される利用範囲内で、ユーザの指示に基づいて、プリンタ部２４０やスキャナ部２５０を制御してコピー機能やスキャン機能を実行させる。互いに対応付けられたデバイスＩＤとユーザＩＤとには、共通の利用情報が対応付けられている（図２（Ａ））ので、特定のデバイスＩＤに基づく認証後のログイン状態と、特定のデバイスＩＤに対応付けられた特定のユーザＩＤに基づく認証後のログイン状態と、は互いに同じ状態である。
【００４９】
図９は、第２の認証関連処理のフローチャートである。第２の認証関連処理は、ユーザからの登録申請に対する許可通知を要求する許可要求が複合機２００から管理装置３００に送信された場合に（図５のステップＳ６５）、実行される処理である。第２の認証関連処理は、例えば、許可要求としての電子メールに含まれる特定のＵＲＬを、管理装置３００を操作する管理者がクリックした場合に、開始される。
【００５０】
ステップＳ１００では、管理装置３００は、システム１０００の管理者の操作に基づいて、許可要求に対する回答として、登録を許可する許可通知、または、登録を許可しない不許可通知を、複合機２００に対して送信する。具体的には、管理者の操作に基づいて、管理装置３００は、ブラウザプログラムを実行し、ブラウザ機能を用いて、特定のＵＲＬによって識別されるＷＥＢページにアクセスする。この結果、複合機２００のＣＰＵ２１０から、許可通知または不許可通知の送信指示を入力するためのＷＥＢページＷＰ２を示すＷＥＢページデータが、管理装置３００に送信される。この結果、管理装置３００の表示部には、ＷＥＢページＷＰ２が表示される。
【００５１】
図１０は、許可通知または不許可通知の送信指示を入力するためのＷＥＢページＷＰ２の一例を示す図である。図１０のＷＥＢページＷＰ２は、登録申請の内容を示す申請情報ＡＩと、許可通知の送信指示を入力するためのラジオボタンＲＢ９と、不許可通知の送信指示を入力するためのラジオボタンＲＢ１０と、送信ボタンＢＴ５と、ＷＥＢページＷＰ２の表示を取り消す取消ボタンＢＴ６と、を含んでいる。申請情報ＡＩは、登録申請の対象となるデバイスＩＤと、ユーザＩＤと、利用要求情報の内容と、を含んでいる。管理装置３００は、送信ボタンＢＴ５が押下されると、押下された時点におけるラジオボタンＲＢ９、ＲＢ１０の選択状態を示す情報を複合機２００に送信する。図１０の例では、ラジオボタンＲＢ９が選択された状態を示す情報が、許可通知であり、ラジオボタンＲＢ１０が選択された状態を示す情報が、不許可通知である。この結果、複合機２００のＣＰＵ２１０は、ＬＡＮＩ／Ｆ２８０を介して、許可通知、および、不許可通知のうちのいずれか一方を受信する。
【００５２】
続くステップＳ１１０では、ＣＰＵ２１０は、許可通知を受信したか、不許可通知を受信したかを判断する。ＣＰＵ２１０は、許可通知を受信した場合には（ステップＳ１１０：ＹＥＳ）、許可通知によって許可された許可要求に対応する新規のユーザ情報をユーザ情報テーブル２３２に登録する（ステップＳ１２０）。すなわち、未登録のデバイスＩＤと、未登録のユーザＩＤおよびパスワードと、が対応付けられて、ユーザ情報テーブル２３２に新たに登録される。さらに、利用要求情報が、利用が許可された利用情報として、新たに登録されるデバイスＩＤおよびユーザＩＤと対応付けて、ユーザ情報テーブル２３２に登録される。このように、複合機２００は、管理装置３００から許可通知を受信することに応じて、デバイスＩＤとユーザＩＤとの登録が管理装置３００にて許可されることを適切に判断することができる。
【００５３】
ユーザ情報が新規に登録されると、続くステップＳ１３０では、ＣＰＵ２１０は、ユーザ情報の登録が成功したことの通知をユーザに対して送信する。この通知は、情報入力画像ＵＩ２（図７）を介してユーザから取得されたメールアドレス宛の電子メールによって行われる。この結果、ユーザは、ユーザ情報の登録が成功して、複合機２００の利用が可能になったことを、容易に認識することができる。
【００５４】
ＣＰＵ２１０は、不許可通知を受信した場合には（ステップＳ１１０：ＮＯ）、新規のユーザ情報の登録を行うことなく、ユーザ情報の登録が失敗したことの通知をユーザに対して送信する（ステップＳ１４０）。この通知は、登録の成功の通知（ステップＳ１３０）と同様に、ユーザから取得されたメールアドレス宛の電子メールによって行われる。この結果、ユーザは、ユーザ情報の登録が失敗したことを、容易に認識することができる。このように、複合機２００は、管理装置３００から不許可通知を受信することに応じて、デバイスＩＤとユーザＩＤとの登録が管理装置３００にて許可されないことを適切に判断することができる。
【００５５】
登録の成功の通知および登録の失敗の通知のうちの一方の送信が行われると、第２の認証関連処理は終了される。
【００５６】
以上説明した本実施例によれば、通信デバイスからＮＦＣＩ／Ｆ２９０を介して受信されたデバイスＩＤと、操作部２６０を介してユーザから取得されたユーザＩＤと、が対応付けられた登録情報を含むユーザ情報を、すなわち、認証のための情報を登録するための処理の煩雑さを解消することができる。
【００５７】
具体的には、ユーザ情報の登録が管理装置３００にて許可されるか否かが、事前に設定された許容情報テーブル２３３（図２（Ｂ））を参照して判断される（図５のステップＳ５０）、あるいは、管理装置３００から受信される許可通知に応じて判断される（図９のステップＳ１１０）。そして、登録が許可される場合には、デバイスＩＤとユーザＩＤとを含むユーザ情報がユーザ情報テーブル２３２に登録される（図５のステップＳ５５、図９のステップＳ１２０）。そして、登録後には、デバイスＩＤに基づく認証と、ユーザＩＤに基づく認証と、の双方が実行可能である（図５のステップＳ８０）。そして、これらの２種類の認証によるログイン後の双方で、同一のログイン状態に移行される（ステップＳ９５）。この結果、認証のための情報を登録するための処理の煩雑さを解消することができる。
【００５８】
また、本実施例によれば、ユーザからの受け付けられた利用要求情報によって示される利用の要求が、許容情報テーブル２３３に設定された許容情報によって示される許容範囲外である場合には（図５のステップＳ５０：ＮＯ）、一旦は、ユーザ情報の登録が管理装置３００にて許可されないと判断される。そして、許可要求が複合機２００から管理装置３００に送信される（図５のステップＳ６５）。そして、許可要求に対する回答として許可通知が複合機２００によって受信される場合に（図９のステップＳ１１０：ＹＥＳ）、ユーザ情報の登録が、最終的に許可されると判断されて、当該ユーザ情報の登録が行われる（図９のステップＳ１２０）。したがって、許容情報テーブル２３３を用いて登録が許可されないと判断される場合であっても、管理装置３００にて、登録を許可するか否かを柔軟に判断できる。
【００５９】
さらに、本実施例では、通信デバイスからＮＦＣＩ／Ｆ２９０を介して受信されたデバイスＩＤが登録済みであるか場合には（図５のステップＳ３０：ＹＥＳ）、デバイスＩＤに基づく認証が実行される（図５のステップＳ８０）。そして、当該デバイスＩＤが登録済みでない場合には（図５のステップＳ３０：ＮＯ）、デバイスＩＤを含む新規のユーザ情報の登録が許可されるか否かの判断（図５のステップＳ５０）を含む、一連の処理（図５のステップＳ３５〜Ｓ７０）が実行される。したがって、ＮＦＣＩ／Ｆ２９０を介して受信されたデバイスＩＤが登録済みであるかに応じて適切な処理を実行することができる。この結果、認証処理、および、認証のための情報を登録するための処理の煩雑さを解消することができる。
【００６０】
Ｂ．変形例
（１）上記第１実施例では、デバイスＩＤは、ＮＦＣ通信を用いて取得されているが、他の通信方式を用いて、取得されても良い。ただし、利便性の観点から無線通信が用いられることが好ましく、また、安全性の観点からＮＦＣ通信のように、比較的通信距離が短い通信方式が用いられることが好ましい。例えば、ＮＦＣ通信に代えて、ＴｒａｎｓｆｅｒＪｅｔ（登録商標）などの無線通信方式が採用され得る。あるいは、Ｂｌｕｅｔｏｏｔｈ（登録商標）、赤外線通信などの無線通信方式が採用され得る。
【００６１】
（２）上記実施例では、事前に設定される許容情報テーブル２３３（図２（Ｂ））を用いて、管理装置３００に逐一の許可を要求することなく、ＣＰＵ２１０が、ユーザ情報の登録が管理装置３００にて許可されるか否かを判断している。これに代えて、許容情報テーブル２３３を用いた判断処理は、省略されても良い。この場合には、許容情報テーブル２３３に許容情報を設定する処理（図３）は省略される。そして、図５の第１の認証関連処理において、ステップＳ５０、Ｓ５５、Ｓ６０の処理が省略される。すなわち、複合機２００のＣＰＵ２１０は、未登録のデバイスＩＤとユーザＩＤとを含むユーザ情報を取得する度に、逐一、ユーザ情報の登録の許可要求を管理装置３００に送信しても良い。
【００６２】
（３）上記実施例では、互いに対応付けられたデバイスＩＤとユーザＩＤごとに管理される情報の例として、ユーザ情報テーブル２３２に、デバイスＩＤおよびユーザＩＤとともに登録される利用情報が採用されている。これに代えて、あるいは、これとともに、デバイスＩＤとユーザＩＤごとに管理される情報として、例えば、ユーザごとの複合機２００の利用の履歴を示す履歴情報が採用されても良い。すなわち、複合機２００のＣＰＵ２１０は、ユーザの認証後に、当該履歴情報を用いて、ユーザごとの複合機２００の利用履歴を管理する処理を実行しても良い。
【００６３】
（４）上記実施例では、ユーザ情報テーブル２３２や許容情報テーブル２３３が格納される記憶部は、複合機２００の不揮発性記憶装置２３０である。これに代えて、ユーザ情報テーブル２３２や許容情報テーブル２３３は、外部の記憶装置に格納されても良い。例えば、ユーザ情報テーブル２３２や許容情報テーブル２３３は、管理装置３００が備える不揮発性記憶装置に格納されても良い。
【００６４】
（５）上記実施例のシステム１０００は、１個の複合機２００を備えている。これに代えて、システム１０００は、複数個の複合機を備えていても良い。この場合には、ユーザ情報テーブル２３２は、複数個の複合機で共有されても良い。例えば、ユーザ情報テーブル２３２は、複数個の複合機のうちの特定の複合機に格納されても良く、外部の記憶装置に格納されても良い。各複合機は、上述した第１および第２の認証関連処理を実行する際に、当該特定の複合機や外部の記憶装置に格納されたユーザ情報テーブル２３２を利用すれば良い。例えば、各複合機は、ユーザ情報テーブル２３２を参照する場合には、当該特定の複合機や外部の記憶装置からユーザ情報テーブル２３２を取得すればよく、ユーザ情報テーブル２３２に新たな登録情報を登録する場合には、当該特定の複合機や外部の記憶装置にユーザ情報テーブル２３２の更新指示を送信すれば良い。
【００６５】
（６）上記実施例では、処理装置の例として複合機２００が採用されている。これに代えて、処理装置は、他の画像処理装置、具体的には、プリンタ、スキャナ、ファクシミリであっても良く、画像処理装置とは異なる処理装置、具体的には、ユーザごとに記憶領域を割り当て可能なストレージ装置であっても良い。
【００６６】
（７）上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【００６７】
（８）本発明の機能の一部または全部がソフトウェアで実現される場合には、そのソフトウェア（コンピュータプログラム）は、コンピュータ読み取り可能な記録媒体に格納された形で提供することができる。「コンピュータ読み取り可能な記録媒体」は、メモリーカードやＣＤ−ＲＯＭのような携帯型の記録媒体に限らず、各種のＲＡＭやＲＯＭ等のコンピュータ内の内部記憶装置や、ハードディスクドライブ等のコンピュータに接続されている外部記憶装置も含んでいる。
【００６８】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【符号の説明】
【００６９】
２００...複合機、２１０...ＣＰＵ、２２０...揮発性記憶装置、２２１...バッファ領域、２３０...不揮発性記憶装置、２３１...コンピュータプログラム、２３２...ユーザ情報テーブル、２３３...許容情報テーブル、２３４...ＷＥＢページデータ群、２３５...ＵＩ画像データ群、２４０...プリンタ部、２５０...スキャナ部、２６０...操作部、２７０...表示部、２９０...ＮＦＣＩ／Ｆ、３００...管理装置、４００...携帯端末、５００...ＩＣカード
【図１】
2015069563.tif 000003
【図２】
2015069563.tif 000004
【図３】
2015069563.tif 000005
【図４】
2015069563.tif 000006
【図５】
2015069563.tif 000007
【図６】
2015069563.tif 000008
【図７】
2015069563.tif 000009
【図８】
2015069563.tif 000010
【図９】
2015069563.tif 000011
【図１０】
2015069563.tif 000012